(57)【要約】【課題】  効率良く再生処理を行う。【解決手段】  再生処理時に、ＬＣＤ２６に再生した撮影画像の画像データを示す再生位置情報をメモリ５２に記憶し、次回再生処理時には、上記再生位置情報に応じた撮影画像をＬＣＤ２６に表示する。このため、簡易な操作で、容易に前回再生した撮影画像から再生処理を続行することができる。【選択図】  図２
2005064927.tif 000002
【特許請求の範囲】
【請求項１】
記録媒体に記録された画像データの画像を表示する表示手段と、
前記表示手段に前回表示した画像から順に表示する続き表示モードを設定するモード設定手段と、
前記表示手段に表示した画像の履歴を表す表示履歴情報を記憶する記憶手段と、
前記続き表示モードが設定されているとき、前記記憶手段による表示履歴情報に基づいて、前回表示した最後の画像データの画像を前記表示手段へ表示する制御手段と、
を備えた撮像装置。
【請求項２】
前記制御手段は、前記続き表示モードが設定されているときに、前記続き表示モードによる画像表示を示すアイコン画像を、前記画像データの画像と共に前記表示手段へ表示する請求項１に記載の撮像装置。
【請求項３】
前記モード設定手段は、前記続き表示モードを設定する、または撮影終了後に該撮影による最新の画像データによる最新の画像を表示する最新表示モードを設定すると共に、前記続き表示モードまたは最新表示モードにモードを切替指示する指示手段を含み、前記制御手段は、前記表示手段へ表示する画像として、前記指示手段の指示によって前記続き表示モードまたは前記最新表示モードの画像を表示する請求項１または請求項２に記載の撮像装置。
【請求項４】
撮影日時情報を含む画像データの撮影画像を表示する表示手段と、
前記画像データを記憶する画像記憶手段と、
前記表示手段に表示された撮影画像と同一撮影日でかつ最初に撮影された撮影画像の表示を指示する画像指示手段と、
前記画像指示手段による指示がなされると、前記表示手段へ表示中の撮影画像と同一撮影日でかつ最初に撮影された撮影画像を前記表示手段へ表示する制御手段と、
を備えた撮像装置。
【発明の詳細な説明】
【技術分野】
【０００１】
本発明は、撮像装置に係り、特にデジタルカメラ等の撮像装置に関する。
【背景技術】
【０００２】
従来、撮像装置、特にデジタルカメラでは、撮影によって撮影画像の画像データを得ることが行われている。このデジタルカメラには、撮影によって得られた撮影画像を、該デジタルカメラに設けられた表示画面に表示する再生機能を設けたものもある。このようなデジタルカメラにおいて再生を行うと、一般的に表示画面には、最後に撮影した撮影画像が表示される。更に画面送り指示を行うための指示入力がなされると、指示入力がなされる毎に、順次撮影日時順に撮影画像が表示画面に表示される。このような再生機能において、複数の撮影画像を一度に表示画面へ表示する技術が知られている（例えば、特許文献１参照）。
【０００３】
この技術によれば、撮影画像の画像データを撮影により得られた順に順次縮小し、縮小した９個の縮小画像データの縮小画像からなる画像を、再生時に表示画面へ表示する。更に画面送りを指示するための指示入力がなされると、次の撮影により得られた９個の縮小画面が表示される。このように、一度に複数の撮影画像を表示画面に表示することができるので、１画像ずつ撮影画像を表示画面へ表示する場合に比べて、ユーザ所望の撮影画像を短時間で表示画面へ表示することができる。
【０００４】
しかし、上記技術では、撮影順に縮小した複数の縮小画像からなる画像を、撮影順に順次表示画面へ表示するので、ユーザ所望の撮影画像が最初に表示される画像に含まれない場合には、所望の撮影画像が表示されるまで、複数回画面送り指示を入力する必要があった。そこで、撮影画像を再生する優先順位を示す優先順位データを画像データに付与する技術が知られている（例えば、特許文献２参照）。
【０００５】
この技術によれば、撮影時または再生前に、ユーザの操作により画像データに優先順位を示す優先順位データを付与する。再生時には、この優先順位データに応じて優先順位の高い撮影画像を表示画面へ再生する。これによって、再生時には、予め設定した優先順位の高いデータから順に撮影画像を表示画面へ再生することができる。
【特許文献１】特開平１０−２４３３３１号公報  （第３頁―４頁、図５）
【特許文献２】特開２００１−２３８１６８号公報  （第１頁、図１）
【発明の開示】
【発明が解決しようとする課題】
【０００６】
しかしながら、上記技術では、優先順位データを付与するために、撮影時または再生前にユーザによる優先順位を付与するための操作が必要であった。また、再生を中断して、撮影を行った後に再度再生を行う場合においても、常に優先順位の高いデータから撮影画像が表示されるため、前回再生した画像が重複して表示画面に表示される恐れがあった。
【０００７】
本発明は、上記問題点を解決するためになされたもので、簡易な操作で効率よく再生画像を再生可能な撮像装置を提供することを目的とする。
【課題を解決するための手段】
【０００８】
上記目的を達成するために本発明の撮像装置は、記録媒体に記録された画像データの画像を表示する表示手段と、前記表示手段に前回表示した画像から順に表示する続き表示モードを設定するモード設定手段と、前記表示手段に表示した画像の履歴を表す表示履歴情報を記憶する記憶手段と、前記続き表示モードが設定されているとき、前記記憶手段による表示履歴情報に基づいて、前回表示した最後の画像データの画像を前記表示手段へ表示する制御手段と、を備えている。
【０００９】
本発明の撮像装置は、表示手段を備えており、記録媒体に記録された画像データの画像を表示する。記憶手段には、表示手段に過去に表示した画像の表示履歴を表す表示履歴情報が記憶されている。この表示履歴情報は、表示手段に画像が表示される度に更新される。モード設定手段によって、表示手段に前回表示した画像から順に表示手段に表示する続き表示モードが設定されると、制御手段は、記憶手段に記憶された表示履歴情報に基づいて前回表示手段に表示した最後の画像データを把握する。更に制御手段は、把握した該画像データの画像を表示手段へ表示する。このため、表示手段には、前回表示した画像から順に画像が表示される。
【００１０】
従って、続き表示モードが設定されることにより、容易に前回表示した画像から順に表示手段へ表示することができるので、効率よく画像を表示手段へ表示することができる。
【００１１】
前記制御手段は、前記続き表示モードが設定されているときに、前記続き表示モードによる画像表示を示すアイコン画像を、前記画像データの画像と共に前記表示手段へ表示することができる。
【００１２】
続き表示モードが設定されているときには、制御手段は、表示手段に前回表示した画像から順に表示する続き表示モードであることを示すアイコン画像を表示することができるので、表示手段に前回表示した画像から順に表示中であることを視認可能に提供することができる。
【００１３】
前記モード設定手段は、前記続き表示モードを設定する、または撮影終了後に該撮影による最新の画像データによる最新の画像を表示する最新表示モードを設定すると共に、前記続き表示モードまたは最新表示モードにモードを切替指示する指示手段を含み、前記制御手段は、前記表示手段へ表示する画像として、前記指示手段の指示によって前記続き表示モードまたは前記最新表示モードの画像を表示することができる。
【００１４】
モード設定手段は、指示手段を含んでおり、続き表示モードまたは最新表示モードへのモード切換を指示することができる。最新表示モードとは、撮影終了後に撮影によって得られた最新の画像データの画像を表示手段へ表示するモードである。指示手段によってモード切替指示がなされると、制御手段は、指示手段の指示に基づいて、上記続き表示モードによる画像、または最新表示モードによる画像を表示するように制御する。このため、簡易な操作で続き表示モードによる画像から最新表示モードによる画像へ、または最新表示モードから続き表示モードへ、と表示手段へ表示される画像を切替えることができる。
【００１５】
本発明の撮像装置は、撮影日時情報を含む画像データの撮影画像を表示する表示手段と、前記画像データを記憶する画像記憶手段と、前記表示手段に表示された撮影画像と同一撮影日でかつ最初に撮影された撮影画像の表示を指示する画像指示手段と、前記画像指示手段による指示がなされると、前記表示手段へ表示中の撮影画像と同一撮影日でかつ最初に撮影された撮影画像を前記表示手段へ表示する制御手段と、を備えている。
【００１６】
本発明の撮像装置は、表示手段を備えており、撮影画像を表示する。撮影画像の画像データは、撮影によって得られた撮影日時を示す撮影日時情報を含んでおり、画像記憶手段に記憶されている。画像指示手段は、表示手段に表示された撮影画像と同一撮影日の最初に撮影された撮影画像の表示を指示するためのものである。この画像指示手段による指示がなされると、制御手段は、表示手段へ表示中の撮影画像と同一撮影日の最初に撮影された撮影画像、すなわち同一撮影日の最も早い時間を示す撮影日時情報を含む画像データを画像記憶手段から把握し、該画像データの撮影画像を表示手段へ表示する。このため、簡易な操作によって、表示手段に表示された撮影画像を、該撮影画像と同一日付で且つ最初に撮影された撮影画像へ切替えることができる。
【００１７】
なお、画像指示手段は、表示手段に表示された撮影画像と同一撮影日の最後に撮影された撮影画像の表示を指示するものであっても良い。このようにすれば、画像指示手段による指示により、制御手段は、表示手段へ表示中の撮影画像と同一撮影日の最後に撮影された撮影画像を表示手段へ表示することができる。
【発明の効果】
【００１８】
以上説明したように、本発明の撮像装置によれば、記憶手段に記憶された前回表示手段に表示された画像の画像データを表す表示履歴情報に応じた画像データを、記録媒体に記憶された画像データから把握し、把握した画像データの画像を順次表示手段へする。このため、前回表示手段に表示した画像から順に表示手段へ画像を表示することができ、効率よく画像を表示手段へ表示することができる、という効果が得られる。
【発明を実施するための最良の形態】
【００１９】
本発明の撮像装置に係るデジタルカメラの一の実施の形態を図面に基づき説明する。
【００２０】
図1には、本実施の形態に係るデジタルカメラ１０の外観を示す正面図及び背面図を示した。
【００２１】
図１（Ａ）に示すように、デジタルカメラ１０の筐体１２の正面には、被写体像を結像させるためのレンズ１４、及び撮影範囲等を目視で確認するためのファインダ２０が設けられている。筐体１２の側面には、記録メディア１６を装着可能なカードスロット１８が設けられている。記録メディア１６には、撮影画像の画像データを記憶することができる。また、筐体１２の上面には、撮影を指示する際にユーザによって押圧操作されるレリーズスイッチ２２、及び電源スイッチ２４が設けられている。電源スイッチ２４は、ユーザがデジタルカメラ１０の各部への電源電力の供給／供給停止の切り換えを行うときに操作するためのものである。
【００２２】
図１（Ｂ）に示すように、筐体１２の背面には、ＬＣＤ２６（液晶表示装置）が設けられている。ＬＣＤ２６には、撮影によって得られた画像データの撮影画像、各種メニュー、及びユーザに対する各種選択項目等を表示することができる。また、ＬＣＤ２６の近傍には、ファインダ２０及びスイッチ２８が設けられている。
【００２３】
本実施の形態では、スイッチ２８として、レリーズスイッチ２２、電源スイッチ２４、モード切替ボタン３４、実行ボタン３０、続再生ボタン３６、日付再生ボタン３８、最新再生ボタン４０、及び上下矢印キー３２を含んだ構成を採用している。
【００２４】
モード切替ボタン３４は、撮影によって撮影画像の画像データを得る撮影モード、及び撮影によって得られた撮影画像をＬＣＤ２６に表示する再生モードの何れかに切り替えるときに、ユーザにより操作されるものである。上下矢印キー３２は、ユーザがＬＣＤ２６に表示された撮影画像のコマ切り替えや、ＬＣＤ２６に表示された各種メニューから任意のメニュー項目を選択する際等に操作するためのものである。実行ボタン３０は、ユーザが各項目の実行開始を指示するときに操作するためのものである。
【００２５】
続再生ボタン３６は、ユーザが前回の再生時にＬＣＤ２６に表示した撮影画像を再度ＬＣＤ２６に表示するときに操作するためのものである。日付再生ボタン３８は、ユーザが前回再生時にＬＣＤ２６に表示した撮影画像と同一撮影日の最初に撮影された撮影画像をＬＣＤ２６へ表示するときに操作するためのものである。最新再生ボタン４０は、撮影によって得られた撮影画像の内、最後に撮影、すなわち撮影日時が最新の撮影画像をＬＣＤ２６へ表示するときに操作するためのものである。
【００２６】
なお、本実施の形態では、レリーズスイッチ２２、電源スイッチ２４、モード切替ボタン３４、実行ボタン３０、続再生ボタン３６、日付再生ボタン３８、最新再生ボタン４０、及び上下矢印キー３２は、それぞれ独立したスイッチとして設けた場合を説明するが、これらのスイッチを１つのスイッチで機能するようにしてもよい。この場合、例えば、ＬＣＤ２６に各種機能選択のための項目一覧を表示して、これらの表示された項目一覧を１つのスイッチで随時項目選択することによって、機能するようにすればよい。また、１つのスイッチとして、上下矢印キー３２を採用し、上下矢印キー３２によるダブルクリックやワンクリック操作によって上記独立したスイッチと同様に機能するようにすればよい。
【００２７】
図２には、本実施の形態に係るデジタルカメラ１０の主要構成をブロック図として示した。
【００２８】
デジタルカメラ１０は、ＣＣＤ（Ｃｈａｒｇｅ  Ｃｏｕｐｌｅｄ  Ｄｅｖｉｃｅ）４２を有している。ＣＣＤ４２は、レンズ１４により得られる被写体からの反射光を撮影画像を示すアナログ画像データ（以下、画像データという）に変換して出力するためのものである。また、デジタルカメラ１０は、ＣＰＵ４４、ＲＯＭ４６、及びＲＡＭ４８からなるマイクロコンピュータを含んで構成される。これらのデバイスは、データやコマンドの授受が可能なようにバス５０で接続されている。また、デジタルカメラ１０には、メモリ５２、及びタイマ５４が設けられている。メモリ５２及びタイマ５４には、バス５０が接続されている。
【００２９】
上記ＲＯＭ４６は、各種デバイスを制御するためのメイン制御プログラム等の各種プログラムや所定データ等を記憶するためのものである。ＲＡＭ４８は、主として各種プログラムによって生成されるデータを一時的に記憶するためのものである。メモリ５２は、各種データを記憶するためのものであり、その中に詳細を後述する前回の再生処理においてＬＣＤ２６に最後に表示した撮影画像の画像データを示す再生位置情報を記憶する。タイマ５４は、日時を計測するためのものであり、撮影によって得られた画像データの撮影日時を計測する。なお、本実施の形態では、デジタルカメラ１０には、タイマ５４が設けられる場合を説明するが、タイマ５４の機能をＣＰＵ４４に内蔵するようにしてもよい。
【００３０】
また、バス５０には、インターフェース（以下、Ｉ／Ｆという）５６が接続されている。Ｉ／Ｆ５６は、撮影によって得られた画像データを記録メディア１６へ出力するためのものである。記録メディア１６は、カードスロット１８に装着されることによってＩ／Ｆ５６に接続可能である。記録メディア１６の一例としては、ＩＣカードなどのメモリ媒体がある。なお、本実施の形態では、撮影画像の画像データは、撮影日時等の情報を埋め込んだ画像ファイル形式であるものとして説明する。撮影情報を埋め込んだ形式の画像ファイル形式には、例えば、Ｅｘｉｆ（Ｅｘｃｈａｎｇｅａｂｌｅ  Ｉｍａｇｅ  Ｆｉｌｅ  Ｆｏｒｍａｔ）形式等がある。
【００３１】
また、バス５０には、ＬＣＤ２６及びＩ／Ｏ５８が接続されている。このＩ／Ｏ５８には上記各種スイッチから構成されるスイッチ２８が接続されている。
【００３２】
なお、ＬＣＤ２６は、本発明の撮像装置の表示手段に相当し、続再生ボタン３６はモード設定手段に相当し、メモリ５２は、記憶手段に相当する。また、最新再生ボタン４０は指示手段に相当し、日付再生ボタン３８は、画像指示手段に相当し、記録メディア１６は、画像記憶手段に相当する。
【００３３】
次に、上記実施の形態に係るデジタルカメラ１０の作用を説明する。
【００３４】
なお、本実施の形態では、前回の再生処理時にＬＣＤ２６に最後に表示した撮影画像の画像データを示す再生位置情報がメモリ５２に既に記憶されているものとして説明する。また、撮影によって得られた複数の撮影画像の画像データが記録メディア１６に記憶されているものとして説明する。
【００３５】
図３には、ＣＰＵ４４で実行される処理ルーチンを示した。電源スイッチ２４によりデジタルカメラ１０に電源が投入されるとステップ１００に進み、モード状態確認処理が実行される。ステップ１００の処理は、モード切替ボタン３４による撮影モードまたは再生モードの選択状態を確認するものである。モード切替ボタン３４の選択状態の確認は、メモリ５２に記憶されたモード切替ボタン３４の状態を表すデータを読取ることによって可能である。モード切替ボタン３４の選択状態には、ユーザによって再生モードが選択された状態、及び撮影モードが選択された状態がある。これらの状態を表すデータは、電源が投入された後に、モード切替ボタン３４がユーザによって操作されることによって入力される。入力されたデータは、モード切替ボタン３４の選択状態を表すデータとしてメモリ５２に記憶される。このメモリ５２に記憶されたモード切替ボタン３４の選択状態を表すデータを確認することによって、モード切替ボタン３４の選択状態を確認することができる。
【００３６】
次にステップ１０２では、再生モードか否かを判断する。ステップ１０２の判断は、メモリ５３に記憶されたモード切替ボタン３４の選択状態を表すデータが、再生モードが選択された状態を示すデータか否かを判別することによって判断可能である。
【００３７】
ステップ１０２で肯定されると、ステップ１０４へ進み、最新日時画像データ読取処理が実行される。ステップ１０４の処理は、記録メディア１６に記憶された画像データから、最新の撮影日時情報を含む画像データを検索することにより実行される。次にステップ１０６において、上記ステップ１０４で読取った最新の撮影日時情報を含む画像データの撮影画像をＬＣＤ２６に表示する。なお、ステップ１０６において、最新日時の画像データの画像表示中であることを示す文字情報やアイコン等の画像を、上記撮影画像と同時にＬＣＤ２６に表示するようにしてもよい。
【００３８】
次にステップ１０８では、続き再生指示がなされたか否かを判断する。続き再生指示とは、前回の再生処理によってＬＣＤ２６に表示された最後の撮影画像の画像データを、ＬＣＤ２６に再度表示する指示を行うためのものである。ステップ１０８の判断は、続再生ボタン３６のユーザによる押圧操作による指示入力を判別することによって可能である。
【００３９】
ステップ１０８で否定されるとステップ１１４へ進み、肯定されるとステップ１１０へ進む。ステップ１１０では、メモリ５２に記憶された再生位置情報を読取る、前回再生位置情報読取処理が実行される。ステップ１１０の処理によって、前回の再生処理時にＬＣＤ２６に最後に表示した撮影画像の画像データを示す再生位置情報がメモリ５２から読取られる。次にステップ１１２において、上記ステップ１１０で読取った再生位置情報に対応する画像データを記録メディア１６から読取ってＬＣＤ２６へ表示する該当画像表示処理が実行される。なお、ステップ１１２において、更に前回の再生処理によってＬＣＤ２６に表示された最後の撮影画像表示中であることを示す文字情報やアイコン等の画像を、上記撮影画像と同時にＬＣＤ２６に表示するようにしてもよい。
【００４０】
次にステップ１１４では、コマ送り指示ががなされたか否かを判断する。コマ送り指示とは、ＬＣＤ２６への撮影画像の表示中に、コマ送り指示が入力されることによって、表示する画像を１画像撮影日時順にインクリメント又はデクリメントしてＬＣＤ２６に表示する撮影画像の変更を指示するものである。ステップ１１４の判断は、上下矢印キー３２のユーザによる押圧操作による指示入力を判別することによって可能である。例えば、上下矢印キー３２の左矢印部分が押圧操作されると、撮影日時順に１画像デクリメントされた画像データの撮影画像をＬＣＤ２６に表示する指示が入力され、上下矢印キー３２の右矢印部分が押圧操作されると、撮影日時順に１画像インクリメントされた画像データの撮影画像をＬＣＤ２６に表示する指示が入力される。
【００４１】
上記ステップ１１４で否定されると、ステップ１２０へ進み、肯定されるとステップ１１６へ進む。ステップ１１６では、上記ステップ１１４の上下矢印キー３２の押圧操作による信号入力によって、撮影日時順に１画像インクリメントまたはデクリメントした画像データの撮影画像ＬＣＤ２６へ表示する。
【００４２】
次に、ステップ１１８では、メモリ５２に記録された再生位置情報の更新処理が実行された後に、上記ステップ１１４へ戻る。ステップ１１８の処理は、上記ステップ１１６でＬＣＤ２６に表示した撮影画像の画像データを示す再生位置情報を、メモリ５２に記憶するものである。
【００４３】
ステップ１１８の処理によって、ＬＣＤ２６に表示した撮影画像の画像データを示す再生位置情報がメモリ５２に記憶される。
【００４４】
次にステップ１２０では、日付再生指示がなされたか否かを判断する。日付再生指示とは、前回の再生処理時にＬＣＤ２６に表示した撮影画像と同一日時で且つ最古、すなわち、同一日時の最初に撮影された撮影画像をＬＣＤ２６へ表示する指示を行うためのものである。ステップ１２０の判断は、日付再生ボタン３８のユーザによる押圧操作による指示入力を判別することによって可能である。
【００４５】
上記ステップ１２０で否定されると、ステップ１３０へ進み、肯定されるとステップ１２２へ進む。ステップ１２２では、メモリ５２に記録された再生位置情報の画像データの撮影日時を把握する撮影日時把握処理が実行される。ステップ１２２の処理は、再生位置情報に対応する画像データを記録メディア１６から読取り、該画像データに含まれる撮影日時情報を把握するものである。ステップ１２２の処理によって、前回再生時にＬＣＤ２６に表示された撮影画像の画像データの撮影日時を示す情報が把握される。
【００４６】
次にステップ１２４では、同日付最古画像データ読取処理が実行される。ステップ１２４の処理は、上記ステップ１２２で読取った撮影日時情報に応じて、同一の日付の画像データを記録メディア１６から検索するとともに、該検索した同一の日付の画像データ群から最古の、すなわち、最も早い時間に撮影された画像データを読取るものである。
【００４７】
次にステップ１２６では、上記ステップ１２４で読取った、同一日付の最も早い時間に撮影された画像データの撮影画像をＬＣＤ２６に表示する。なお、ステップ１２６において、同日付最古画像表示中であることを示す文字情報やアイコン等の画像を、上記撮影画像と同時にＬＣＤ２６に表示するようにしてもよい。
【００４８】
次にステップ１２８では、更新処理が実行された後に、上記ステップ１１４へ戻る。ステップ１２８の処理は、上記ステップ１２６でＬＣＤ２６に表示した撮影画像の画像データを示す再生位置情報をメモリ５２に記憶することによって、再生位置情報を更新するものである。
【００４９】
次にステップ１３０では、最新画像再生指示がなされたか否かを判断する。最新画像再生指示とは、ＬＣＤ２６に撮影によって得られた最新の撮影画像の表示を指示するものである。ステップ１３０の判断は、最新再生ボタン４０のユーザによる押圧操作による信号入力を判別することによって判断可能である。ステップ１２０で否定されると、本ルーチンを終了し、肯定されるとステップ１３２へ進む。ステップ１３２では、上記ステップ１０４と同様に、最新日時画像データ読取り処理が実行される。次にステップ１３４では、上記ステップ１０６と同様に、最新日時の画像データの撮影画像をＬＣＤ２６へ表示する表示処理が実行された後に、上記ステップ１１４へ戻る。
【００５０】
なお、本実施の形態では、上記ステップ１０４及びステップ１３２の処理において、最新の画像データを読取る場合を説明したが、最初に撮影された、すなわち最古の撮影日時の画像データを読み取るようにしてもよい。
【００５１】
一方、上記ステップ１０２で否定されると、ステップ１３６へ進み、撮影指示がなされたか否かを判断する。ステップ１３６の判断は、レリーズスイッチ２２による信号受信によって押圧操作されたか否かを判断することによって可能である。
【００５２】
ステップ１３６で否定されると、ステップ１４２へ進み、デジタルカメラ１０に装備された撮影画像の色補正処理等のその他の処理が実行された後に本ルーチンを終了し、肯定されるとステップ１３８へ進む。
【００５３】
ステップ１３８では、撮影処理が実行される。この撮影処理は、被写体を撮影するときにおけるＣＣＤ４２からの図示を省略した焦点調整、ズーム、レンズ等による画角調整、そして露光調整などのデジタルカメラ１０の図示しない各種駆動部を駆動して、撮影画像の画像データを得るものである。この撮影処理が終了すると、次のステップ１４０において、撮影処理によって得られた画像データにタイマ５４による撮影日時情報を含めた画像データを記録メディア１６に記録した後に本ルーチンを終了する。
【００５４】
上記図３の処理ルーチンが実行されることによって、例えば、図４に示すように撮影画像が再生される。図４には、記録メディア１６に記録された複数の画像データの撮影画像Ａ乃至撮影画像Ｈを模式的に示した。なお、方向Ｘに行くほど古い、すなわち早い日時に撮影された撮影画像とし、撮影画像Ａ乃至撮影画像Ｃ、撮影画像Ｄ乃至撮影画像Ｆ、撮影画像Ｇ及び撮影画像Ｈは、各々同一撮影日に撮影されたものとして説明する。
【００５５】
例えば、前回の再生処理時に撮影画像ＥがＬＣＤ２６に表示された後に、撮影処理が実行されて新たに撮影画像Ｈが得られたとする。ここで更に再生処理が実行されると、最新の撮影画像である撮影画像ＨがＬＣＤ２６に表示される。ここで、続再生ボタン３６がユーザにより押圧操作されると、前回の再生時に最後にＬＣＤ２６に表示された撮影画像ＥがＬＣＤ２６に表示される。更に、日付再生ボタン３８がユーザにより押圧操作されると、同一日付の最古の撮影画像である撮影画像ＤがＬＣＤ２６に表示される。
【００５６】
以上説明したように、本実施の形態では、再生処理時に、ＬＣＤ２６に再生した撮影画像の画像データを示す再生位置情報をメモリ５２に記憶し、次回再生処理時には、上記再生位置情報に応じた撮影画像をＬＣＤ２６に表示することができるので、簡易な操作で、容易に前回再生した撮影画像から再生処理を続行することが可能となる。従って、効率良く再生処理を行うことができる。
【００５７】
また、日付再生ボタン３８のユーザによる押圧指示により、簡単な操作で容易にＬＣＤ２６に再生した撮影画像と同一日付の最古の撮影画像をＬＣＤ２６に表示することができる。
【００５８】
更に最新再生ボタン４０のユーザによる押圧操作により、簡単に通常の一般的な再生処理、すなわち最新または最古の撮影画像をＬＣＤ２６に表示することができるの。このため撮影画像再生時の操作性を向上することができる。
【００５９】
なお、本発明は、上記の実施の形態に限られるものではない。例えば、上記実施の形態では、再生位置情報をメモリ５２に記憶するものとして説明したが、再生位置情報を記録メディア１６に記憶するようにしてもよい。この場合、上記説明した続再生ボタン３６による指示入力がなされた場合や、日付再生ボタン３８による指示がなされた場合には、記録メディア１６から再生位置情報を読取るようにすればよい。このようにすれば、一度再生処理を行ったデジタルカメラ１０以外のデジタルカメラにおいても、上記説明した本実施の形態の再生処理が可能となる。
【００６０】
また、上記実施の形態では、再生モードが選択されると、最新日時画像データの撮影画像をＬＣＤ２６に表示し、更に続再生ボタン３６の押圧操作がなされると前回再生した撮影画像をＬＣＤ２６に表示する場合を説明したが、再生モードが選択されると、前回再生した撮影画像をＬＣＤ２６に表示するようにしてもよい。
【００６１】
また、上記実施の形態では、日付再生ボタン３８によって、ＬＣＤ２６に表示された画像の画像データと同一撮影日の最初に撮影された画像データの画像をＬＣＤ２６に表示する場合をせつめいしたが、同一撮影日の最後に撮影された画像データの画像をＬＣＤ２６に表示するようにしてもよい。
【図面の簡単な説明】
【００６２】
【図１】本発明の実施の形態に係るデジタルカメラの外観を示すものであり、（Ａ）は正面図であり、（Ｂ）は背面図である。
【図２】本実施の形態に係るデジタルカメラの主要構成を示すブロック図である。
【図３】本発明の実施の形態に係るデジタルカメラにおける処理の流れを示すフローチャートである。
【図４】本発明の再生処理を示す模式図である。
【符号の説明】
【００６３】
１０  デジタルカメラ
３２  上下矢印キー
３４  モード切替ボタン
３６  続再生ボタン
３８  日付再生ボタン
４０  最新再生ボタン
【図１】
2005064927.tif 000003
【図２】
2005064927.tif 000004
【図３】
2005064927.tif 000005
【図４】
2005064927.tif 000006